(57)【要約】【課題】リフレクタによる光の１次制御の自由度を高めて効率的な撮影配光を実現することができるストロボ装置を提供すること。【解決手段】ストロボ光を発光する光源２と、該光源２からのストロボ光を照射対象に向けて反射させるリフレクタ３を備えたストロボ装置１において、前記リフレクタ３の反射面３Ａとして、配光カーブが異なる複数の反射面３ａ，３ｂを前記光源２の長手方向に配置する。例えば、撮影画角中心に集光する第１の反射面３ａと撮影画角広角側に集光する第２の反射面３ｂを前記光源２の長手方向に交互に配置する。又、光源２の長手方向において隣接する前記反射面３ａ，３ｂ間の段差面３ｃを反射面とする。【選択図】図１
2010060684.tif 000002
【特許請求の範囲】
【請求項１】
ストロボ光を発光する光源と、該光源からのストロボ光を照射対象に向けて反射させるリフレクタを備えたストロボ装置において、
前記リフレクタの反射面として、配光カーブが異なる複数の反射面を前記光源の長手方向に配置したことを特徴とするストロボ装置。
【請求項２】
撮影画角中心に集光する第１の反射面と撮影画角広角側に集光する第２の反射面を前記光源の長手方向に交互に配置したことを特徴とする請求項１記載のストロボ装置。
【請求項３】
前記光源の長手方向において隣接する前記反射面間の段差面を反射面としたことを特徴とする請求項１又は２記載のストロボ装置。
【発明の詳細な説明】
【技術分野】
【０００１】
本発明は、撮影のための補助光としてのストロボ光を照射対象に向けて照射するためのストロボ装置に関するものである。
【背景技術】
【０００２】
例えば、デジタルカメラ等に内蔵されたストロボ装置は、夜間や雨天時等のように周囲が暗い環境下においても所定の撮影有効範囲内での撮影を可能とするためにストロボ光を照射対象に向けて照射するものであって、その構成の一例を図１０に示す。
【０００３】
即ち、図１０は従来のストロボ装置の斜視図であり、図示のストロボ装置１０１は、幅方向（Ｘ軸方向）に長いキセノン管等から成る光源１０２と、該光源１０２からのストロボ光を照射対象である被写体に向けて反射させるリフレクタ１０３と、該リフレクタ１０３の前面（光出射面）を覆う矩形プレート状の不図示のレンズを備えている。
【０００４】
上記リフレクタ１０３は、放物曲面状又は半楕円曲面状を成す正面反射面（縦壁）１０３Ａとその両側端に形成された平坦な側面反射面（横壁）１０３Ｂを備えており、光源１０２にて発光したストロボ光は、その大部分がリフレクタ１０３の正面反射面（縦壁）１０３Ａと側面反射面（横壁）１０３Ｂによって反射方向（光量分布）が一次制御される。そして、リフレクタ１０３によって１次制御された反射光は、カッティングが施された不図示のレンズによって方向が２次制御（配光）されて図１１に示すように撮影画角を照射し、撮影に適した光量と配光特性が得られる。
【０００５】
ところで、斯かるストロボ装置に関して特許文献１には、光源であるキセノン管とカバーレンズの反射部材を設け、キセノン管から直接カバーレンズに向かう光を反射部材によってリフレクタに向けて反射させ、発光光の殆ど全てをリフレクタによって照射方向を制御することによって、所望の配光特性を得るとともに、光の到達距離を長くするようにした構成が提案されている。
【０００６】
又、特許文献２には、光源とリフレクタ反射面の間の光軸上の相対距離を調整することによって反射光の照射対象に対する照射角度を調整することができるストロボ装置において、リフレクタ反射面の光源の軸芯に直交する方向の断面形状を略放物線形状とするとともに、光源の軸芯に沿う方向のリフレクタ反射面の両端と光源との距離を光源の軸芯に沿う方向のリフレクタ反射面の両端以外の箇所における光源との距離より短く設定し、且つ、リフレクタ反射面の放物線形状を長手方向中央部から両側に向けて縮小させることによって、装置の大型化を招くことなく配光幅を左右に拡張するようにした構成が提案されている。
【０００７】
更に、特許文献３には、リフレクタの縦断面形状の少なくとも一部に傾きを持たせることによって光源の反射光を内側に指向させ、光源の管軸方向の集光利用を増大させるようにしたストロボ装置が提案されている。
【特許文献１】特開２００３−１６１９８８号公報
【特許文献２】特開２００８−０８９９５１号公報
【特許文献３】実用新案登録第３０４４０３６号公報
【発明の開示】
【発明が解決しようとする課題】
【０００８】
しかしながら、図１０に示した従来のストロボ装置１０１においては、リフレクタ１０３の正面反射面（縦壁）１０３Ａが幅方向に連続した一様な曲面で構成されているため、リフレクタ１０３による光の１次制御の自由度が小さく、配光が広がり過ぎたり、中心光量が低くなる等して有効な配光を効率的に得ることが困難であった。特に、カメラの小型化に伴ってストロボ装置のリフレクタも小型化し、その反射面の面積が小さくなってスペースに制限がある現状では、リフレクタの一様な反射面内で理想的な反射を実現することは難しく、撮影画角の中心方向へ光を反射させる面と広角側へ光を反射させる面を理想的な割合で設置しようとしても、スペース的な制限のために実現は不可能である。
【０００９】
本発明は上記問題に鑑みてなされたもので、その目的とする処は、リフレクタによる光の１次制御の自由度を高めて効率的な撮影配光を実現することができるストロボ装置を提供することにある。
【課題を解決するための手段】
【００１０】
上記目的を達成するため、請求項１記載の発明は、ストロボ光を発光する光源と、該光源からのストロボ光を照射対象に向けて反射させるリフレクタを備えたストロボ装置において、前記リフレクタの反射面として、配光カーブが異なる複数の反射面を前記光源の長手方向に配置したことを特徴とする。
【００１１】
請求項２記載の発明は、請求項１記載の発明において、撮影画角中心に集光する第１の反射面と撮影画角広角側に集光する第２の反射面を前記光源の長手方向に交互に配置したことを特徴とする。
【００１２】
請求項３記載の発明は、請求項１又は２記載の発明において、前記光源の長手方向において隣接する前記反射面間の段差面を反射面としたことを特徴とする。
【発明の効果】
【００１３】
請求項１記載の発明によれば、配光カーブが異なる複数の反射面を光源の長手方向に配置したため、各反射面によって集光される光が合成され、リフレクタによる光の１次制御の自由度が高められて効率的な撮影配光が実現される。
【００１４】
請求項２記載の発明によれば、撮影画角中心に集光する第１の反射面と撮影画角広角側に集光する第２の反射面を光源の長手方向に交互に配置したため、第１の反射面によって撮影画角中心に集光される光と第２の反射面によって撮影画角広角側に集光される光が合成され、リフレクタによる光の１次制御の自由度が高められて効率的な撮影配光が実現される。
【００１５】
請求項３記載の発明によれば、光源の長手方向において隣接する反射面間の段差面を反射面としたため、光照射方向から大きく傾いた光を段差面によって反射させて光照射方向に近づけることができ、リフレクタによる１次制御における集光性を高めることができる。
【発明を実施するための最良の形態】
【００１６】
以下に本発明の実施の形態を添付図面に基づいて説明する。
【００１７】
図１は本発明に係るストロボ装置の斜視図、図２は同ストロボ装置の平面図、図３は図２のＡ−Ａ線断面図、図４は図２のＢ−Ｂ線断面図、図５はリフレクタの第１の反射面を示す断面図と配光分布イメージを示す平面図、図６はリフレクタの第２の反射面を示す断面図と配光分布イメージを示す平面図、図７（ａ）は本発明に係るストロボ装置の配光分布を示す図、図７（ｂ）は従来のストロボ装置の配光分布を示す図である。
【００１８】
本発明に係るストロボ装置１は、例えばデジタルカメラに内蔵されるものであって、幅方向（図１〜図３の左右方向）に長いキセノン管等から成る円管状の光源２と、該光源２から出射されるストロボ光を照射対象である被写体に向けて反射させる横長のリフレクタ３と、該リフレクタ３の前面（光出射面）を覆う矩形プレート状のレンズ４（図４に鎖線にて示す）を備えている。尚、レンズ４には所望の配光パターンを得るためのカッティングが施されたフレネル状のものが使用される。
【００１９】
而して、本発明に係るストロボ装置１の配光を１次制御するためのリフレクタ３は、正面反射面（縦壁）３Ａとその両側端に形成された平坦な側面反射面（横壁）３Ｂを備えており、正面反射面（縦壁）３Ａには、配光カーブが異なる２種の反射面３ａ，３ｂが光源２の長手方向（幅方向）に配置されている。本実施の形態では、配光カーブが互いに異なる第１の反射面３ａと第２の反射面３ｂを光源２の長手方向に交互に配置しており、第２の反射面３ｂを幅方向中央に配置し、その両側に第１の反射面３ａを配置している。尚、リフレクタ３は板金のプレス成形又は樹脂の一体成形によって得られ、その反射面（内面）３Ａ，３Ｂには必要に応じてアルミ蒸着等の反射処理が施されて反射率が高められる。
【００２０】
ここで、リフレクタ３の左右両側に配置された第１の反射面３ａは、光源２の中心に第１の焦点を有し、且つ、光源２から任意の距離（例えば０．５ｍ）の撮影画角の中心に第２の焦点を有する楕円形の一部を配光カーブとして備えるものであって、図５に示すように、光源２から出射される光Ｌは、第１の反射面３ａにて反射して撮影画角中心に集光する。即ち、第１の反射面３ａは円筒状の光源２と直交する断面において楕円形としているため、ストロボ装置１の配光分布は撮影画角の中心部、換言すれば光源２に領域を明るくする。
【００２１】
又、リフレクタ３の幅方向中央に配置された第２の反射面３ｂは、リフレクタ３に入射する光の配光角を２分する２つの曲面を有し、図６に示すように、光射出方向を順方向とした場合に光源２に近い部分が撮影画角の対角の広角部に集光させ、光源２から遠い部分が順方向側の広角部に集光させる。即ち、第２の反射面３ｂは、円筒状の光源２と直交する断面において大別して２つの反射領域から成る。光源２に近い部分の反射面３ｂ１は、光源２からの光を対角方向に向けて反射させ、光源２から遠い部分の反射面３ｂ２は、光源２からの光を当該反射面３ｂと同じ側である順方向に向けて反射させる。これにより、対角側広角部においては順方向側の反射面３ｂ１（図６の右側）からの光と、順方向反対側の反射面３ｂ２（６の左側）からの光の合成光による配光分布となり、順方向広角部においては、順方向反対側の反射面３ｂ１（図６の左側）からの光と順方向側の反射面３ｂ２（図６の右側）からの光の合成光による配光となる。尚、図５及び図６においては、第１及び第２の反射面３ａ，３ｂの片側（図の右半分）にて反射する光Ｌのみを示す。
【００２２】
ところで、配光カーブが異なる第１の反射面３ａと第２の反射面３ｂとを接続する面は段差面３ｃとなるが、この段差面３ｃは反射面とされている。ここで、この段差面３ｃは、図２に示すようにＸ−Ｚ面内において図示の角度αだけ傾斜し、図３に示すようにＸ−Ｙ面内において図示の角度βだけ傾斜する斜面とされている。尚、本実施の形態では、段差面３ｃを平面で構成したが、曲面によって構成しても良い。段差面３ｃを反射に利用することによって、光照射方向（Ｙ方向）から大きく傾いた光をＹ方向に近づけることができる。即ち、円筒状の光源２の長手方向（Ｘ方向）での光線制御が可能となる。具体的には、撮影画角中央に向かう光を撮影画角の周囲方向に分散させる形状の反射面が段差部３ｃに形成される。
【００２３】
本実施の形態に係るストロボ装置１は、夜間や雨天時等のように周囲が暗い環境下においても所定の撮影有効範囲内での撮影を可能とするためにストロボ光を被写体に向けて照射するものであって、撮影に必要な十分な明るさが確保されない場合には、不図示のシャッターボタンの操作に同期してストロボ装置１の光源２からストロボ光が出射される。
【００２４】
光源２から出射されたストロボ光は、その大部分がリフレクタ３へ向けて照射され、該リフレクタ３の反射面３Ａ，３Ｂで反射して１次制御されて被写体へ向かい、レンズ４を透過することによって配光されて２次制御された後に、補助光として被写体に向けて照射され、暗い環境下での撮影有効範囲内での撮影を可能とする。
【００２５】
而して、本実施の形態に係るストロボ装置１においては、前述のようにリフレクタ３の正面反射面（縦壁）３Ａとして、撮影画角中心に集光する第１の反射面３ａを左右両側に配置し、その中間に撮影画角広角側に集光する第２の反射面３ｂを配置したため、第１の反射面３ａによって撮影画角中心に集光される光と第２の反射面３ｂによって撮影画角広角側に集光される光が合成され、リフレクタ３による光の１次制御の自由度が高められて効率的な撮影配光が実現される。
【００２６】
又、本実施の形態では、配光カーブが異なる第１の反射面３ａと第２の反射面３ｂとを接続する段差面３ｃを反射面としたため、図３に示すように、光照射方向（Ｙ方向）から大きく傾いた光Ｌ１を段差面によって反射させて矢印Ｌ１’に示すように撮影画角中心付近に反射光が集中することを防ぐことができ、撮影画角の光量均一性が高められる。尚、リフレクタ３の側面反射面（横壁）３Ｂで反射した光Ｌ２もＹ方向に近づけられるためにリフレクタ３による１次制御における集光性が高められる。
【００２７】
又、本発明は特に小型のストロボ装置において有効である。本発明者等の検討によれば、ストロボ装置の間口Ｃ(図４参照)と光源２の管径とを比較したときに間口Ｃが管径に対して２．５倍よりも大きいときには、利用できる反射面面積も大きくなるために撮影画角内の均一性を比較的良好に保つことができるが、２．５倍以下となった場合には、利用可能な反射面が小さいため、撮影画角の周辺部と中央部との照度差が大きくなる。しかしながら、本発明に係るストロボ装置１によれば、小さな間口Ｃにも拘らず、管径の２．５倍を超える間口の場合の従来の単一反射面と同等の均一性を得ることができる。
【００２８】
以上の結果、本発明に係るストロボ装置１によれば、図７（ａ）に示すように撮影画角内に集光させて効率的な撮影配光を実現することができ、図７（ｂ）に示す従来のストロボ装置１０１（図１０参照）にて得られる配光分布に対して撮影画角内に理想的な配光分布を得ることができる。尚、図７（ａ），（ｂ）に示す光量分布は撮影画角の中央の光量を１００％として表示している。
【００２９】
次に、本発明の別形態を図８及び図１０にそれぞれ示す。
【００３０】
図８及び図９は本発明の別形態に係るストロボ装置の斜視図であり、図８に示すストロボ装置１’においては、正面反射面（縦壁）３Ａとして、リフレクタ３の撮影画角中心に集光する第１の反射面３ａを幅方向中央に配置し、撮影画角広角側に集光する第２の反射面３ｂを第１の反射面３ａの両側に配置している。
【００３１】
又、図９に示すストロボ装置１”においては、正面反射面（縦壁）３Ａとして、３つの第１の反射面３ａと２つの第２の反射面３ｂを幅方向に交互に配置している。具体的には、リフレクタ３の幅方向中央に第１の反射面３ａを配置し、その左右両側に第２の反射面３ｂを配置し、更にその左右両側に第１の反射面３ａを配置している。
【００３２】
而して、図８及び図９に示すストロボ装置１’，１”においても前記と同様の効果を得ることができる。
【００３３】
尚、本発明は、デジタルカメラ、フィルムカメラ、携帯電話等に搭載されるストロボ装置に対して適用可能である。
【図面の簡単な説明】
【００３４】
【図１】本発明に係るストロボ装置の斜視図である。
【図２】本発明に係るストロボ装置の平面図である。
【図３】図２のＡ−Ａ線断面図、
【図４】図２のＢ−Ｂ線断面図
【図５】本発明に係るストロボ装置のリフレクタの第１の反射面を示す断面図と配光分布イメージを示す平面図である。
【図６】本発明に係るストロボ装置のリフレクタの第１の反射面を示す断面図と配光分布イメージを示す平面図である。
【図７】（ａ）は本発明に係るストロボ装置の配光分布を示す図、（ｂ）は従来のストロボ装置の配光分布を示す図である。
【図８】本発明の別形態に係るストロボ装置の斜視図である。
【図９】本発明の別形態に係るストロボ装置の斜視図である。
【図１０】従来のストロボ装置の斜視図である。
【図１１】ストロボ装置の撮影画角を照射するストロボ配光を示す斜視図である。
【符号の説明】
【００３５】
１，１’，１”  ストロボ装置
２              光源
３              リフレクタ
３Ａ            リフレクタの正面反射面（縦壁）
３Ｂ            リフレクタの側面反射面（横壁）
３ａ            第１の反射面
３ｂ            第２の反射面
３ｂ１、３ｂ２  反射面
３ｃ            段差面
４              レンズ
Ｃ              間口
Ｌ，Ｌ１，Ｌ２  光
【図１】
2010060684.tif 000003
【図２】
2010060684.tif 000004
【図３】
2010060684.tif 000005
【図４】
2010060684.tif 000006
【図５】
2010060684.tif 000007
【図６】
2010060684.tif 000008
【図７】
2010060684.tif 000009
【図８】
2010060684.tif 000010
【図９】
2010060684.tif 000011
【図１０】
2010060684.tif 000012
【図１１】
2010060684.tif 000013